(57)【特許請求の範囲】
【請求項１】
所定の設置面積を有するベース（２）にパイプ製の支柱（７）を着脱可能に起立支持し、該支柱（７）に筒状のスライダー（１３）を上下動可能に嵌合させるとともに、該スライダー（１３）を前記支柱（７）に係止するスライダー係止具（１４）を設け、細長い板状のブラケット（１５）にその中心部から両端に向かって延びる一対の長孔（１５ａ）を設け、前記ブラケット（１５）から側方に突出する一対のアーム（１８）を設けるとともに、各アーム（１８）を前記長孔（１５ａ）の任意の位置で前記ブラケット（１５）に係止するアーム係止具（１７）を設け、前記スライダー（１３）に側方に突出する支持軸（１３ａ）を設け、前記ブラケット（１５）の長手方向中心部に前記支持軸（１３ａ）に回転可能に嵌合する嵌合体（１５ｂ）を設け、該嵌合体（１５ｂ）を任意の回転位置で前記支持軸（１３ａ）に係止する止め具（１６）を設けたことを特徴とする根手入れ用樹木の支持台。
【請求項２】
支柱（７）は長手方向に分割可能としたことを特徴とする請求項１記載の根手入れ用樹木の支持台。
【請求項３】
スライダー係止具（１４）はスライダー（１３）の側部に止めねじ（１４ａ）を軸心方向に向けて出没可能に螺合させ、支柱（７）に前記止めねじ（１４ａ）の先端部が嵌合する係止孔（１４ｂ）を上下に所定ピッチで形成したことを特徴とする請求項１又は２記載の根手入れ用樹木の支持台。
【発明の詳細な説明】
【０００１】
【発明の属する技術分野】
本発明は、観賞用のさつき（さつきつつじ）、松等の樹木の根を手入れする際に使用する根手入れ用樹木の支持台に関するものである。
【０００２】
【従来の技術】
従来の根手入れ用樹木の支持台として、特開平８−２１４７０４号公報に記載されたものがあった。即ち、所定の設置面積を有する土台部に柱状部材を起立固定し、該柱状部材の上部側面に短尺な円筒状部を有する支持部材を取り付け、該支持部材の円筒状部に細長い回動部材を回動可能に取り付け、該回動部材に相対する第１、第２樹木支持部を側方に向けて突出支持するとともに、第１樹木支持部は上記回動部材に固定し、第２樹木支持部はスライダー及び送りねじを介して上記回動部材に摺動可能に取り付ける。
【０００３】
そして、上記送りねじをハンドルを介して正逆回転させることにより、上記第２樹木支持部を第１樹木支持部に対して接離方向に移動させ、倒立させた樹木の基部を上記第１、第２樹木支持部により挟持する。
【０００４】
【発明が解決しようとする課題】
上記従来のものは、第１樹木支持部を回動部材に固定し、第２樹木支持部をスライダー及び送りねじを介して回動部材に摺動可能に取り付けるようにしていたので、構造が複雑になるとともに、回動部材の重量が重くなって土台部、柱状部材等の強度及び連結強度を高くせねばならず、高価になるとともに分解・組立が困難となって可搬性に乏しいものであった。本発明は上記不具合を解消した新規な根手入れ用樹木の支持台を得ることを目的とする。
【０００５】
【課題を解決するための手段】
本発明は、上記目的を達成するために以下の如く構成したものである。即ち、請求項１に係る発明は、所定の設置面積を有するベースにパイプ製の支柱を着脱可能に起立支持し、該支柱に筒状のスライダーを上下動可能に嵌合させるとともに、該スライダーを前記支柱に係止するスライダー係止具を設け、細長い板状のブラケットにその中心部から両端に向かって延びる一対の長孔を設け、前記ブラケットから側方に突出する一対のアームを設けるとともに、各アームを前記長孔の任意の位置で前記ブラケットに係止するアーム係止具を設け、前記スライダーに側方に突出する支持軸を設け、前記ブラケットの長手方向中心部に前記支持軸に回転可能に嵌合する嵌合体を設け、該嵌合体を任意の回転位置で前記支持軸に係止する止め具を設ける構成にしたものである。
請求項２に係る発明は、上記支柱を長手方向に分割可能としたものである。
請求項３に係る発明は、上記スライダー係止具はスライダーの側部に止めねじを軸心方向に向けて出没可能に螺合させ、支柱に前記止めねじの先端部が嵌合する係止孔を上下に所定ピッチで形成する構成にしたものである。
【０００６】
【発明の実施の形態】
以下本発明の実施の形態を図面に基いて説明する。図面において、図１は本発明の実施例を示す樹木支持状態の正面図、図２は本発明の実施例を示す側面図、図３は本発明の実施例を示す斜視図、図４は本発明の実施例を示す分解斜視図である。
【０００７】
図１〜図３において、１は支持台、２はそのベースである。該ベース２は平面視Ｕ形に屈曲したパイプ製のフレーム３の開口側（背面側）端部に支持板４を渡架して両者を一体的に溶接固定することにより、平面視長方形の枠状に形成する。また、上記支持板４の上面中心部に短尺な支持パイプ５を起立させて溶接固定し、該支持パイプ５の背面側に摘まみ付きの止めねじ６を螺合する。
【０００８】
上記支持パイプ５に支柱７を着脱可能に嵌合させ、止めねじ６をねじ込んで支柱７を支持パイプ５に固定する。この支柱７はパイプ材により上下分割可能にしてなる。即ち、所定の径を有するパイプ材を上下に分割して下部支柱８と上部支柱９とを形成し、各下部支柱８及び上部支柱９の下部に小径のパイプ又はピンからなる連結軸８ａ、９ａを下方に突出させて溶接固定する。そして、下部側の連結軸８ａを上記支持パイプ５に嵌合させ、支持パイプ５の背面側に螺合させた止めねじ６をねじ込んで上記連結軸８ａを締め付けることにより、上記下部支柱８を支持パイプ５に固定する。また、上部側の連結軸９ａを上記下部支柱８の上部に嵌合させ、該下部支柱８の上端部の背面側に螺合した摘まみ付きの止めねじ１０をねじ込んで上記連結軸９ａを締め付けることにより、上記上部支柱９を下部支柱８に固定する。
【０００９】
上記支柱７の上部、即ち上部支柱９の上部にパイプ製のスライダー１３を上下動可能に嵌合させ、該スライダー１３を上部支柱９に係止するスライダー係止具１４を設ける。このスライダー係止具１４は、スライダー１３の背面側に摘まみ付きの止めねじ１４ａを軸心方向に向けて出没可能に螺合させ、一方、上記上部支柱９の背面側に上記止めねじ１４ａの先端部が嵌合する係止孔１４ｂを上下に所定ピッチ、本例では５ｃｍピッチで形成し、上記止めねじ１４ａの先端部を所定の係止孔１４ｂに係合させることにより、上記スライダー１３の高さを設定するとともに、該スライダー１３の回転を規制する。
【００１０】
上記スライダー１３の正面側に細長い長方形状のブラケット１５を回動調節可能に取り付ける。即ち、上記スライダー１３の正面側に支持軸１３ａを正面方向（側方）に向けて突出固定し、上記ブラケット１５の長手方向中心部の背面側に上記支持軸１３ａにパイプ製の嵌合体１５ｂを背面方向に向けて突出固定し、この嵌合体１５ｂを上記支持軸１３ａに回転可能にかつ着脱可能に嵌合させる。また、上記嵌合体１５ｂの上側部に摘まみ付きねじからなる止め具１６を軸心方向に向けて出没可能に螺合させる。
【００１１】
そして、上記止め具１６をねじ込み、又は緩め操作して上記嵌合体１５ｂを支持軸１３ａに固定又は解除することにより、上記ブラケット１５をスライダー１３に回動調節可能に係止する。なお、上記支持軸１３ａはパイプ材により、上記嵌合体１５ｂはピン部材により形成し、支持軸１３ａの軸心部に嵌合体１５ｂを回転可能に嵌合させるようにしてもよい。この場合は、上記止め具１６を支持軸１３ａ側に設けるようにする。
【００１２】
上記ブラケット１５にその中心部から両端に向かって延びる一対の長孔１５ａ，１５ａを形成し、各長孔１５ａ，１５ａにアーム係止具１７，１７を介して一対の棒状のアーム１８，１８を正面方向に突出させて互いに接離方向に移動調節可能に取り付ける。各アーム１８，１８の外周は軟質製のゴム又はプラスチックからなる筒状の緩衝体１９により被覆する。
【００１３】
上記係止具１７，１７は、大径の摘まみ１７ａ，１７ａの軸心部にねじ部（図示省略）を正面方向に突出固定してなり、該ねじ部を背面側から各長孔１５ａ，１５ａに摺動可能に嵌合させてその先端部を正面方向に突出させ、該突出端部を上記アーム１８，１８の背面側の軸心部に螺合させ、摘まみ１７ａ，１７ａを介して上記ねじ部をねじ込み、又は緩め操作して上記ブラケット１５に各アーム１８，１８を接離調節可能に係止する。
【００１４】
次に上記実施例の作用・効果について説明する。まず、根手入れする樹木２０の大きさに合わせてスライダー１３の高さ、及び各アーム１８，１８の間隔を調節する。この場合、上記スライダー１３の高さは前述したスライダー係止具１４により行い、また、各アーム１８，１８の間隔は前述したアーム係止具１７により行う。
【００１５】
次いで図１に示すように、樹木２０を倒立させてその幹部を上記各アーム１８，１８間に挿通し、該アーム１８，１８により上記樹木２０を倒立支持する。この状態でブラケット１５を介して上記樹木２０を支持軸１３ａを中心として所定角度回動させ、上記その根部２０ａが作業者側に向く如く傾斜させた後、止め具１６を締付け操作し、上記根部２０ａを所定の傾斜角度に保持する。この状態で上記樹木２０の根の手入れ、即ち、根部２０ａの不要な土を除去して根をほぐすとともに、不要な根を除去する。
【００１６】
上記根の手入れ作業、及び該樹木２０の植え換え作業が完了した後、支持台１を保管、又は運搬する際には、アーム係止具１７，１７、止め具１６、スライダー係止具１４、及び止めねじ６，１０をそれぞれ緩め操作し、図４に示すように、アーム１８，１８をブラケット１５から、ブラケット１５をスライダー１３から、スライダー１３を支柱７から、支柱７をベース２からそれぞれ外し、また、支柱７は上部支柱９を下部支柱８から外して上下に分離する。これにより、上記支持台１は小物に分解され、保管、又は運搬が容易に行えることになる。
【００１７】
【発明の効果】
以上の説明から明らかな如く、本願の請求項１に係る係る発明は、樹木を倒立支持して該樹木の根部の手入れが従来と同様に容易に行われることになる。しかも支持台を単純な形状のパイプ材、及び板材により分割可能に形成するようにしたので、安価に製作することができるとともに、保管、運搬が容易に行えることになる。
また、請求項２に係る発明は、上記支柱を長手方向に分割可能としたので、樹木を支持するアームの高さを所定の高さに保持しながら、保管、運搬時には上下に分割して短尺な小物にすることができる。
請求項３に係る発明は、上記スライダー係止具はスライダーの側部に止めねじを軸心方向に向けて出没可能に螺合させ、支柱に前記止めねじの先端部が嵌合する係止孔を上下に所定ピッチで形成するようにしたので、安価に製作することができるとともに、スライダーを支柱に強固に係合させることができ、樹木を支持するアームを強固に支持することができる。
【図面の簡単な説明】
【図１】本発明の実施例を示す樹木支持状態の正面図である。
【図２】本発明の実施例を示す側面図である。
【図３】本発明の実施例を示す斜視図である。
【図４】本発明の実施例を示す分解斜視図である。
【符号の説明】
１    根手入れ用樹木の支持台
２    ベース
３    フレーム
４    支持板
５    支持パイプ
６    止めねじ
７    支柱
８    下部支柱
８ａ  連結軸
９    上部支柱
９ａ  連結軸
１０    止めねじ
１３    スライダー
１３ａ  支持軸
１４    スライダー係止具
１４ａ  止めネジ
１４ｂ  係止孔
１５    ブラケット
１５ａ  長孔
１５ｂ  嵌合体
１６    止め具
１７    アーム係止具
１７ａ  摘まみ
１８    アーム
１９    緩衝体
２０    樹木
２０ａ  根部
【図１】
0003872693.tif 000002
【図２】
0003872693.tif 000003
【図３】
0003872693.tif 000004
【図４】
0003872693.tif 000005